(57)【要約】【課題】チタン合金製であっても、飛び出し現象を抑えることができ、生産性を高めることができるバルブスプリング用リテーナを提供することを課題とする。【解決手段】バルブスプリングに接触する鍔部３１、バルブスプリングに挿入する円筒部３２Ｂを含むバルブスプリング用リテーナ３０Ｂにおいて、円筒部３２Ｂの側面は、鍔部３１に向かって広がる円錐面３４としたことを特徴とする。【効果】円筒部の側面を鍔部に向かって広がる円錐面にしたので、リテーナを下型から簡単に突き出すことができる。この結果、突き出しが容易になり、生産性を高めることができる。加えて、金型へ施す処置はストレート穴をテーパー穴に変更するだけで、本発明が実現できるため、金型費用の増加を招く心配はない。そして、本発明によれば飛び出し現象が起こらないため、飛び出し対策を講じる必要もない。【選択図】図５
2006307833.tif 000002
【特許請求の範囲】
【請求項１】
チタン合金素材を下型及び上型で鍛造処理することにより製造し、バルブスプリングに接触する鍔部及びバルブスプリングに挿入する円筒部を含むバルブスプリング用リテーナにおいて、
前記円筒部の側面は、前記鍔部に向かって広がる円錐面にしたことを特徴とするバルブスプリング用リテーナ。
【請求項２】
前記円錐面は、リテーナの中心軸に対して２°〜４°の傾斜角で構成したことを特徴とする請求項１記載のバルブスプリング用リテーナ。
【請求項３】
チタン合金素材を下型及び上型で鍛造処理することにより製造し、バルブスプリングに接触する鍔部及びバルブスプリングに挿入する円筒部を含むバルブスプリング用リテーナにおいて、
前記円筒部の側面は、リテーナの中心軸に対する角度が異なる複数の面であって、少なくとも１つの面が前記鍔部に向かって広がる円錐面で構成したことを特徴とするバルブスプリング用リテーナ。
【請求項４】
前記複数の面は、リテーナの中心軸に対する角度が４°を超える急な面及びリテーナの中心軸に対する角度が４°を超えない緩い面で構成し、前記急な面の合計高さは、前記緩い面の合計高さより小さく設定したことを特徴とする請求項３記載のバルブスプリング用リテーナ。
【請求項５】
前記複数の面は、リテーナの中心軸に対する角度が２°を下回る緩い面及びリテーナの中心軸に対する角度が２°を下回らない急な面で構成し、前記緩い面の合計高さは、前記急な面の合計高さより小さく設定したことを特徴とする請求項３記載のバルブスプリング用リテーナ。
【請求項６】
前記リテーナの中心軸に対する角度が４°を超えない面の合計高さが、前記円筒部の合計高さのうちの少なくとも半分で且つリテーナの中心軸に対する角度が２°を下回る面の合計高さが、前記円筒部の合計高さのうちの半分を下回ることを特徴とする請求項３記載のバルブスプリング用リテーナ。
【請求項７】
前記円筒部から径外方へ膨出する前記鍔部は、径外方ほど厚さが薄くなるような不均等厚さ構造にしたことを特徴とする請求項１〜６のいずれか１項記載のバルブスプリング用リテーナ。
【請求項８】
前記チタン合金素材はＴｉ−Ｆｅ−Ｏ系合金とし、前記鍛造処理は冷間鍛造処理としたことを特徴とする請求項１〜７のいずれか１項記載のバルブスプリング用リテーナ。
【発明の詳細な説明】
【技術分野】
【０００１】
本発明はチタン合金製のスプリングリテーナ（バルブスプリング用リテーナ）に関する。
【背景技術】
【０００２】
一般の装置にコイルスプリング（つる巻ばね）を組み込むときに、リテーナを使用することがある。このリテーナは深皿形状のばね受け部材であり、コイルスプリングの力を他の部材に伝達する、又は他の部材の力をコイルスプリングに伝達する伝達部材の機能を果たす。
スプリングとリテーナの組み合わせは、内燃機関の動弁機構にも採用される。
【０００３】
動弁機構に配置するスプリングリテーナ及びその製造方法が提案されている（例えば、特許文献１参照。）。
【特許文献１】特開平１０−１１０６０７号公報（図５）
【０００４】
特許文献１の図５で、２８は予備成形品、３２は下型、３４は第１上型、３５は第２上型、３９は下型の孔である。予備成形品２８は鉄系金属（特許文献１段落番号［００２１］第４行参照）を採用し、下型３２に成形途中品を載せ、上型３４、３５で塑性変形（鍛造処理）させることで製造することができる。
【０００５】
塑性変形（鍛造処理）が終われば、下型３２から上型３４、３５を分離し（型開きし）、図示せぬ突き出しピンを用いて予備成形品２８を、下型３２から分離する（突き出す）。
【０００６】
本発明者等は、リテーナの軽量化を研究する中で、鉄系材料よりも、軽量で高強度のチタン合金材料でリテーナを製造する試みを行った。試みに、特許文献１の下型３２及び上型３４、３５を用いてチタン合金素材を鍛造処理し、下型３２から上型３４、３５を分離し、下型３２から成形品を分離しようとしたところ簡単には分離することができないという不具合が発生した。
【０００７】
そして、分離には大きな力が必要であると共に分離時に下型３２から成形品が飛び出る現象が認められた。
この原因は、素材として採用したチタン合金が、鉄系金属に比較して金型への嵌合作用が大きい。この結果、リテーナが下型３２に強く嵌合したことによると考えられる。
【０００８】
しかし、チタン合金製リテーナであっても、突き出しに手間が掛かると生産性が著しく低下するため、その対策が求められる。
【発明の開示】
【発明が解決しようとする課題】
【０００９】
本発明は、チタン合金製であっても、飛び出し現象を抑えることができ、生産性を高めることができるバルブスプリング用リテーナを提供することを課題とする。
【課題を解決するための手段】
【００１０】
請求項１に係る発明は、チタン合金素材を下型及び上型で鍛造処理することにより製造し、バルブスプリングに接触する鍔部及びバルブスプリングに挿入する円筒部を含むバルブスプリング用リテーナにおいて、前記円筒部の側面は、前記鍔部に向かって広がる円錐面にしたことを特徴とする。
【００１１】
請求項２に係る発明は、円錐面は、リテーナの中心軸に対して２°〜４°の傾斜角で構成したことを特徴とする。
【００１２】
請求項３に係る発明は、チタン合金素材を下型及び上型で鍛造処理することにより製造し、バルブスプリングに接触する鍔部及びバルブスプリングに挿入する円筒部を含むバルブスプリング用リテーナにおいて、前記円筒部の側面は、リテーナの中心軸に対する角度が異なる複数の面であって、少なくとも１つの面が前記鍔部に向かって広がる円錐面で構成したことを特徴とする。
【００１３】
請求項４に係る発明では、複数の面は、リテーナの中心軸に対する角度が４°を超える急な面及びリテーナの中心軸に対する角度が４°を超えない緩い面で構成し、前記急な面の合計高さは、前記緩い面の合計高さより小さく設定したことを特徴とする。
【００１４】
請求項５に係る発明では、複数の面は、リテーナの中心軸に対する角度が２°を下回る緩い面及びリテーナの中心軸に対する角度が２°を下回らない急な面で構成し、前記緩い面の合計高さは、前記急な面の合計高さより小さく設定したことを特徴とする。
【００１５】
請求項６に係る発明では、リテーナの中心軸に対する角度が４°を超えない面の合計高さが、円筒部の合計高さのうちの少なくとも半分で且つリテーナの中心軸に対する角度が２°を下回る面の合計高さが、円筒部の合計高さのうちの半分を下回ることを特徴とする。
【００１６】
請求項７に係る発明では、円筒部から径外方へ膨出する鍔部は、径外方ほど厚さが薄くなるような不均等厚さ構造にしたことを特徴とする。
【００１７】
請求項８に係る発明では、チタン合金素材はＴｉ−Ｆｅ−Ｏ系合金とし、鍛造処理は冷間鍛造処理としたことを特徴とする。
【発明の効果】
【００１８】
請求項１に係る発明では、円筒部の側面を鍔部に向かって広がる円錐面にしたので、リテーナを下型から簡単に突き出すことができる。この結果、突き出しが容易になり、生産性を高めることができる。加えて、金型へ施す処置はストレート穴をテーパー穴に変更するだけで、本発明が実現できるため、金型費用の増加を招く心配はない。そして、本発明によれば飛び出し現象が起こらないため、飛び出し対策を講じる必要もない。
従って、請求項１によれば、生産性の向上及び金型費用の高騰化抑制を図ることができる。
【００１９】
請求項２に係る発明では、円錐面はリテーナの中心軸に対して２°〜４°の傾斜角で構成した。傾斜角が２°未満であると、下型に対する嵌合作用が顕著になって、飛び出し現象が発生する。飛び出し現象を防止するには、傾斜角は２°以上にする必要がある。
また、傾斜角が４°を超えると、円錐面とバルブスプリングとの間の隙間が顕著になってバルブスプリングの中心にリテーナの中心を合わせることが難しくなり、リテーナの機能が低下する虞がある。リテーナの機能を十分に発揮させるには、傾斜角は４°以下にする必要がある。
【００２０】
請求項３に係る発明では、円筒部の側面は、リテーナの中心軸に対する角度が異なる複数の面であって、少なくとも１つの面が鍔部に向かって広がる円錐面で構成した。鍔部に向かって広がる円錐面は、リテーナを下型から突き出す作用を発揮する。この作用の結果、突き出しが容易になり、生産性を高めることができる。加えて、金型へ施す処置はストレート穴をテーパー穴に変更するだけで、本発明が実現できるため、金型費用の増加を招く心配はない。そして、本発明によれば飛び出し現象が起こらないため、飛び出し対策を講じる必要もない。
【００２１】
加えて請求項３に係る発明では、円筒部をリテーナの中心軸に対する角度が異なる複数の円錐面で構成した。リテーナの中心軸に対する角度を大きく設定するとリテーナを下型から簡単に突き出すことができる。逆に、リテーナの中心軸に対する角度を小さく設定するとリテーナが金型に嵌合するためリテーナを下型へ残すことができる。
このように、複数の円錐面を備えることで、突き出し性と嵌合性とのバランスをとることができる。
【００２２】
請求項４に係る発明では、緩い面は、バルブスプリングの保持性を確保する面であり、緩い面の高さを十分に確保することで、バルブスプリングの保持性を確保することができる。
【００２３】
請求項５に係る発明では、緩い面の合計高さを小さく設定することで、嵌合力を抑制し、突き出し作用を円滑にするようにした。
【００２４】
請求項６に係る発明では、リテーナの中心軸に対する角度が４°を超えない面の合計高さを、円筒部の合計高さのうちの少なくとも半分に設定したので、バルブスプリングの保持性を確保することができる。また、リテーナの中心軸に対する角度が２°を下回る面の合計高さが、円筒部の合計高さのうちの半分を下回るため、金型への嵌合力を抑制することができ、飛び出し現象を防止することができる。
【００２５】
請求項７に係る発明では、鍔部は、径外方ほど厚さが薄くなるような不均等厚さ構造にした。一般に、鍛造による成形では、鍔部下面外周部に、材料を十分に流動させることが難しくなるため、この部分に欠肉が生じやすい。
そこで、本発明は、鍔部を不均等厚さに成形することにより、塑性流れをコーナー部へ向けるようにした。この結果、鍔部下面外周部に欠肉のない、品質の良いリテーナを得ることができる。
【００２６】
請求項８に係る発明では、チタン合金素材はＴｉ−Ｆｅ−Ｏ系合金とすることで、鍛造処理を冷間鍛造処理にすることができた。一般に塑性加工上の理由から、チタン合金素材は熱間鍛造法で処理する。熱間鍛造は加工性が高まる反面、熱エネルギーが必要であり、また、熱間の成形品寸法と常温の成形品寸法が異なるため、後加工として大規模な機械加工が必要になり、加工コストが嵩む。
【００２７】
この点、本発明では、Ｔｉ−Ｆｅ−Ｏ系合金を採用することで冷間鍛造が可能となり、熱エネルギーは不要であり、後加工としての機械加工を小規模に止めることができ、加工コストを大幅に下げることができる。
【発明を実施するための最良の形態】
【００２８】
本発明は図面を参照することで理解を促すことができる。すなわち、請求項１、２には図５を参照し、請求項３には図３を参照し、請求項４には図３及び図６（ａ）を参照し、請求項５には図６（ｂ）及び（ｃ）を参照し、請求項６には図６（ｄ）を参照することができる。
【００２９】
本発明を実施するための最良の形態を添付図に基づいて以下に説明する。
図１は本発明に係るバルブスプリング用リテーナを含む動弁機構の要部断面図であり、動弁機構１０は、排気バルブ（又は吸気バルブ）１１の傘部１２を受けるバルブシート１３と、傘部１２から延ばしたバルブ軸１４と、このバルブ軸１４をガイドするバルブガイド１５と、排気バルブ１１を閉じ側へ付勢する外側バルブスプリング１６及び内側バルブスプリング１７と、これらの外側バルブスプリング１６及び内側バルブスプリング１７の一端（図では上端）を受けるバルブスプリング用リテーナ３０と、このリテーナ３０を着脱可能にバルブ軸１４の端部に接続するコッタ１８と、バルブ軸１４の先端に配置するインナーシム１９と、このインナーシム１９に当てるようにしてリテーナ３０を覆うカップ状のリフタ２１と、このリフタ２１を押し下げるカム軸２２とを備える。２３はピストン、２４はシリンダヘッド、２５はヘッドカバーである。
【００３０】
図２は本発明に係るバルブスプリング用リテーナの断面図であり、バルブスプリング用リテーナ３０は、外側バルブスプリング（図１の符号１６）に接触する鍔部３１、外側バルブスプリングに挿入する外側円筒部３２及び内側バルブスプリング（図１の符号１７）に挿入する内側円筒部３３を含み、外側円筒部３２の側面は、鍔部３１に向かって広がる円錐面３４及び円錐面３５とし、内側円筒部３３の側面も鍔部３１に向かって広がる円錐面３６としたことを特徴とする。３７はリテーナの中心軸、３８は中心テーパー穴である。
【００３１】
なお、円錐面３４から径外方へ膨出する鍔部３１は、先端の厚さＴ１が基部の厚さＴ２より小さくなるように、すなわち径外方ほど厚さが薄くなるような不均等厚さ構造にした。
【００３２】
図３は図２の３部拡大図であり、外側円筒部３２を構成する円錐面３４、３５のうちで鍔部３１に連続する方の円錐面３４の傾斜角（リテーナの中心軸３７に対する傾斜角。以下同様）をθ１、長さ（リテーナの中心軸３７に沿った高さ。以下同様）をＬ１、鍔部３１に連続しない方の円錐面３５の傾斜角をθ２と定義する。
また、外側円筒部３２の長さをＬ２と定義する。そして、内側円筒部３３の側面を構成する円錐面３６の傾斜角をθ３と呼ぶことにする。
【００３３】
そして、傾斜角θ１は、リテーナの中心軸３７に対して２°〜４°の傾斜角で構成する。
傾斜角θ２は、傾斜角θ１より大きく設定する。傾斜角θ２は、傾斜角θ１より大きければ突き出しの問題となることはないので自由に設定できる。例えば、θ２は５°〜３０°に設定する。
傾斜角θ３は、傾斜角θ１と同様に、２°〜４°に設定する。
【００３４】
傾斜角θ１、θ３を２°〜４°に設定する理由は次の通りである。
円錐面３４は外側バルブスプリング（図１の符号１６）の内面に臨ませる。傾斜角θ１が２°〜４°であれば、外側バルブスプリングと円錐面３４との間の隙間は小さく、リテーナ３０が、がたつく心配はない。
円錐面３６は内側バルブスプリング（図１の符号１７）の内面に臨ませる。傾斜角θ３が２°〜４°であれば、内側バルブスプリングと円錐面３６との間の隙間は小さく、リテーナ３０が、がたつく心配はない。
【００３５】
傾斜角θ１、θ３は小さければ突き出し作用が乏しくなり、大きすぎればバルブスプリングの保持性が低下する。この両方の問題を改善する角度が２°〜４°である。さらに、リテーナの形状、大きさによっては、円錐面の全面にわたって２°〜４°にする必要はなく、この角度はバルブスプリングの保持に十分な長さが確保されれば良い。また、その他の円錐面の傾斜角を４°超にすることで、突き出しをさらに容易にすることができる。
【００３６】
ただし、傾斜角θ２の円錐面３５は、外側バルブスプリング（図１の符号１６）に対する保持作用（リテーナ作用）は期待できない。
そこで、本発明ではリテーナ作用を発揮する円錐面３４の長さを大きくすることにした。具体的には、円錐面３４の長さＬ１は外側円筒部３２の長さＬ２の５０％（半分）以上にすることで、リテーナ作用を確保する。
【００３７】
次に、バルブスプリング用リテーナ３０の材質について説明する。
図１において排気バルブ１１は高頻度で開閉を繰り返し、これに伴ってバルブスプリング用リテーナ３０には繰り返し外力が作用するため、リテーナ３０には高強度が求められる。また、バルブスプリング用リテーナ３０を高速で上下させるには運動エネルギーが必要であり、このエネルギーはエンジン効率を低下させる要素の一つとなる。
運動エネルギーは質量に比例するためバルブスプリング用リテーナ３０を軽量化することが求められる。
【００３８】
高強度化と軽量化の２つの条件を満足させるには、鉄系材料よりもチタン系材料が適している。チタン材料には、純チタン、α型チタン合金、α＋β型チタン合金、β型チタン合金、その他の合金がある。
ただし、純チタンは低強度であるため、バルブスプリング用リテーナには不向きであるため除外する。従って、本発明ではバルブスプリング用リテーナの材料は、チタン合金を採用する。
【００３９】
代表的なα型チタン合金にはＴｉ−５Ａｌ−２．５Ｓｎがあり、α型チタン合金はチタンにα安定化元素としてのアルミニウムを添加して固溶強化させた合金であるため、高強度が得られる。
また、代表的なα＋β型チタン合金にはＴｉ−６Ａｌ−４Ｖがあり、α＋β型合金はチタンにα安定化元素とβ安定化元素とを添加してなる合金であり、高強度が得られる。
ただし、α型チタン合金及びα＋β型合金は延性に難があり、成形は熱間で行う必要がある。
【００４０】
代表的なβ型チタン合金にはＴｉ−１３Ｖ−１１Ｃｒ−３Ａｌがあり、β型チタン合金はα＋β型チタン合金よりさらに多量のβ安定元素を添加してなる合金であり、高強度が得られるとともに、冷間加工性に優れ、冷間成形が可能である。ただし、高価な合金を多量に添加するため、リテーナは高価になる。
【００４１】
その他のチタン合金はβ型チタン合金並の冷間加工性を維持しつつ、低コスト化が可能な材料で、本発明ではＴｉ−Ｆｅ−Ｏ系合金を提案する。なお、Ｔｉ−Ｆｅ−Ｏ系合金はα型合金の一種と考えられるが、冷間加工が可能であるため便宜上、その他のチタン合金と呼ぶことにする。
【００４２】
Ｔｉ−Ｆｅ−Ｏ系合金は、不純物が比較的多くて安価なスポンジチタンを使用することが可能であり、不純物元素であるＦｅ（鉄）、Ｏ（酸素）及び／又はＮ（窒素）の添加量を最適に制御することで必要な強度を確保し、しかもごく限られた組成に管理することで良好な冷間加工性を得ることができる。
限られた組成とは、Ｆｅが０．６〜１．４質量％、Ｏが０．２４〜０．４４質量％、Ｎが０．０５質量％以下に管理することを意味する。
【００４３】
Ｆｅが０．６質量％未満で、Ｏが０．２４質量％未満であると、強度不足や冷間加工性の不足が起こる。また、Ｆｅが１．４質量％を超え、Ｏが０．４４質量％を超えると、冷間加工時に割れが発生しやすくなる。また、Ｎを０．０５質量％以下に管理すると冷間加工時の先端割れを防止することができる。
【００４４】
以上に述べたチタン合金、すなわちα型チタン合金、α＋β型チタン合金、β型チタン合金、その他のチタン合金は、鉄系材料に比較して高強度及び軽量であるという利点がある反面、鉄系材料に比較して金型への嵌合力が格段に大きく、成形品が金型に嵌合して金型からの突き出しが困難になるという欠点がある。
【００４５】
そこで、本発明では図２、図３で述べたようにバルブスプリング用リテーナ３０の構造を改良した。
この構造的改良による作用を次図で説明する。
図４は本発明に係るバルブスプリング用リテーナの製造原理図である。
（ａ）において、鍛造金型としての第１下型４１と第１上型４２とを準備し、第１下型４１に、チタン合金からなる円筒材料４３を載せる。そして、第１上型４２を下げることで、円筒材料４３に熱間又は冷間で鍛造処理を施す。
【００４６】
（ｂ）において、成形途中品４４（（ａ）で成形した成形体）を、別の鍛造型としての第２下型４５に載せ、第２上型４６を矢印（１）のごとく下げることで成形途中品４４に鍛造処理を施す。このときに、第２上型４６に設けてあるテーパー面４７が、成形途中品４４の上面に有効に作用するとともに、第２下型４５に設けてある緩い傾斜面４８、きつい傾斜面４９及び緩い傾斜面５０が、成形途中品４４の下部に有効に作用する。この作用は次に説明する。
【００４７】
（ｃ）において、リテーナ３０（（ｂ）で成形した成形体）の鍔部３１は、第２上型４６のテーパー面４７で矢印（２）のごとく圧縮成形された。
一般に、鍛造による成形では、鍔部３１下面外周部に、材料を十分に流動させることが難しくなるため、この部分に欠肉が生じやすい。
そこで、矢印（２）の圧縮により、塑性流れをコーナー部へ向けるようにした。この結果、鍔部３１下面外周部に欠肉のない、品質の良いリテーナを得ることができる。
【００４８】
また、（ｃ）は、第２上型４６を矢印（３）のごとく上昇させる型開き工程を示し、リテーナ３０の円錐面３４、３６が第２下型４５の緩い傾斜面４８、５０に嵌合して保持作用を発揮する。この結果、リテーナ３０は、第２上型４６とともに上昇する心配はなく、第２下型４５に残る。
次の突き出し工程で、第２下型４５からリテーナ３０を、突き出しピン５１により図上方向へ突き出すが、リテーナの円錐面３５と傾斜面４９との嵌合力が弱いため、リテーナ３０を第２下型４５から極めて容易に分離することができる。
【００４９】
次に本発明の別実施例を説明する。
図５は図２の別実施例に係る断面図であり、バルブスプリング用リテーナ３０Ｂは、バルブスプリング（図１の符号１６）に接触する鍔部３１、バルブスプリングに挿入する円筒部３２Ｂを含み、円筒部３２Ｂの側面は、鍔部３１に向かって広がる円錐面３４としたことを特徴とする。３７はリテーナの中心軸、３８は中心テーパー穴である。
【００５０】
さらに、構造的に円錐面３４は、リテーナの中心軸３７に対して２°〜４°の傾斜角θで構成したことを特徴とする。
また、円錐面３４から径外方へ膨出する鍔部３１は、先端の厚さＴ１が基部の厚さＴ２より小さくなるように、すなわち径外方ほど厚さが薄くなるような不均等厚さ構造にしたことを特徴とする。
円錐面３４による飛び出し防止作用は、上述したのでここでは説明を省略する。
【００５１】
図６は図３の変更実施例を示す図である。
（ａ）において、円筒部３２は、リテーナの中心軸に対する角度θ１１が、４°を超えない緩い面６１、角度（傾斜角度）θ１２が４°を超える急な面６２及び角度（傾斜角度）θ１３が４°を超えない緩い面６３で構成する。
そして、急な面６２の合計高さＬ１２は、緩い面６１、６３の合計高さ（Ｌ１１＋Ｌ１３）より小さく設定した。すなわち、合計高さ（Ｌ１１＋Ｌ１３）は円筒部３２の高さＬ１０の半分より大きく設定した。
緩い面６１は、バルブスプリングの保持性を確保する面であり、緩い面６１の高さを十分に確保することで、バルブスプリングの保持性を確保することができる。
【００５２】
（ｂ）において、円筒部３２は、角度（傾斜角度）θ２１が２°を下回る緩い面６４及び角度（傾斜角度）θ２２が２°を下回らない急な面６５で構成する。
緩い面６４の合計高さＬ２１は、急な面６５の合計高さＬ２２より小さく設定した。
傾斜角度が２°を下回る緩い面６４は金型との嵌合力が大きい。この嵌合力が大きすぎると突き出しに影響がでる。そこで、緩い面６４の高さを小さく設定することで、嵌合力を抑制し、突き出し作用を円滑にするようにした。
【００５３】
（ｃ）において、円筒部３２は、角度（傾斜角度）θ３１が２°を下回る緩い面６６、角度（傾斜角度）θ３２が２°を下回らない急な面６７及び角度（傾斜角度）θ３３が２°を下回る緩い面６８で構成する。
緩い面６６、６８の合計高さ（Ｌ３１＋Ｌ３３）は、急な面６７の合計高さＬ３２より小さく設定した。
傾斜角度が２°を下回る緩い面６６、６８は金型との嵌合力が大きい。この嵌合力が大きすぎると突き出しに影響がでる。そこで、緩い面６６、６８の合計高さ（Ｌ３１＋Ｌ３３）を小さく設定することで、嵌合力を抑制し、突き出し作用を円滑にするようにした。
【００５４】
（ｄ）において、リテーナの中心軸に対する角度θ４１、θ４２が４°を超えない面６９、７１の合計高さ（Ｌ４１＋Ｌ４２）が、円筒部３２の高さＬ４０のうちの少なくとも半分で且つリテーナの中心軸に対する角度θ４１が２°を下回る面６９の合計高さＬ４１が、円筒部３２の高さＬ４０のうちの半分を下回ることを特徴とする。傾斜角θ４３が４°を超える面７２の高さＬ４３は円筒部３２の高さＬ４０の半分未満であればよく、ゼロであっても良い。
【００５５】
リテーナの中心軸に対する角度が４°を超えない面の合計高さを、円筒部の合計高さのうちの少なくとも半分に設定したので、バルブスプリングの保持性を確保することができる。また、リテーナの中心軸に対する角度が２°を下回る面の合計高さが、円筒部の合計高さのうちの半分を下回るため、金型への嵌合力を抑制することができ、飛び出し現象を防止することができる。
【００５６】
尚、本発明では面と面とを繋ぐアール面（円弧面）も、面の一部とみなすことができる。さらに、平坦面ではなく、アール面（円弧面）であっても、鍔部に向かって広がる形状となっていれば、本発明でいう円錐面に含まれるものとする。
また、本発明は、車両用エンジンの動弁機構に備えるバルブスプリング用リテーナに好適であるが、コイルスプリングの一端を支えるリテーナであれば、用途、設置場所は格別に限定しない。
【産業上の利用可能性】
【００５７】
本発明は、車両用エンジンの動弁機構に備えるバルブスプリング用リテーナに好適である。
【図面の簡単な説明】
【００５８】
【図１】本発明に係るバルブスプリング用リテーナを含む動弁機構の要部断面図である。
【図２】本発明に係るバルブスプリング用リテーナの断面図である。
【図３】図２の３部拡大図である。
【図４】本発明に係るバルブスプリング用リテーナの製造原理図である。
【図５】図２の別実施例に係る断面図である。
【図６】図３の変更実施例を示す図である。
【符号の説明】
【００５９】
１６…外側バルブスプリング、１７…内側バルブスプリング、３０、３０Ｂ…バルブスプリング用リテーナ、３１…鍔部、３２…外側円筒部、３２Ｂ…円筒部、３３…内側円筒部、３４〜３６…円錐面、３７…リテーナの中心軸、４１、４５…下型、４２、４６…上型、６１、６３、６４、６６、６８…緩い面、６２、６５、６７…急な面、６９…傾斜角が４°を超えない面で且つ傾斜角が２°を下回る面、７１…傾斜角が４°を超えない面、７２…傾斜角が４°を超える面、Ｌ１…円錐面３４の高さ、Ｌ２…外側円筒部３２の高さ、Ｔ１、Ｔ２…鍔部の厚さ、θ、θ１、θ２、θ３…円錐面の傾斜角。
【図１】
2006307833.tif 000003
【図２】
2006307833.tif 000004
【図３】
2006307833.tif 000005
【図４】
2006307833.tif 000006
【図５】
2006307833.tif 000007
【図６】
2006307833.tif 000008